(57)【要約】【課題】本発明は、電子拡大鏡に関するもので、利便性の向上を図ることを目的とするものである。【解決手段】そしてこの目的を達成するために本発明は、本体ケース１と、この本体ケース１の上面側に設けた液晶表示部２と、この本体ケースの下面側に設けた読み取り部３と、この読み取り部３で読み取った画像を拡大して前記液晶表示部２に表示させる制御部４とを備え、前記制御部４は、前記液晶表示部２の両端に読み出し始端設定マーク３２、および読み出し終端設定マーク３３を表示する構成とした。【選択図】図９
2010161683.tif 000002
【特許請求の範囲】
【請求項１】
本体ケースと、この本体ケースの上面側に設けた表示部と、この本体ケースの下面側に設けた読み取り部と、この読み取り部で読み取った画像を拡大して前記表示部に表示させる制御部とを備え、
前記制御部は、前記表示部の両端に読み出し始端設定マーク、および読み出し終端設定マークを表示する構成とした電子拡大鏡。
【請求項２】
読み出し始端設定マーク、および読み出し終端設定マークの表示生成部を設けた請求項１に記載の電子拡大鏡。
【請求項３】
読み出し始端設定マークおよび読み出し終端設定マークは、表示部の両端において、複数の帯を並設し、帯の長手方向においては、隣接する帯間で色別差を設けて形成した請求項１または２に記載の電子拡大鏡。
【請求項４】
帯の長手方向において、断続的に色別差を設けた請求項３に記載の電子拡大鏡。
【請求項５】
帯の長手方向において、断続的に白黒の色別差を設けた請求項４に記載の電子拡大鏡。
【請求項６】
表示部に表示された識別情報と背景情報の色を、それぞれ変更する色変更手段を設け、この色変更手段の動作時には、読み出し始端設定マークおよび読み出し終端設定マークの色も変更する構成とした請求項１から５のいずれか一つに記載の電子拡大鏡。
【請求項７】
請求項１から６のいずれか一つに記載の電子拡大鏡において、
前記表示部に画像を拡大表示した後に、その画像の読み出し始端で読み出し始端設定マークを設定し、つぎに、この表示部の画像を読み出す方向にスクロールし、その後このスクロールした読み出し終端で読み出し終端設定マークを設定する電子拡大鏡の操作方法。
【請求項８】
読み出し始端設定マークおよび読み出し終端設定マークの設定後に、この読み出し始端設定マークおよび読み出し終端設定マークの色を変更する請求項７に記載の電子拡大鏡の
操作方法。
【発明の詳細な説明】
【技術分野】
【０００１】
本発明は、電子拡大鏡とその操作方法に関するものである。
【背景技術】
【０００２】
電子拡大鏡は、弱視者が本や新聞などを気楽に楽しむために、その需要が徐々に高まっており、その構成としては、以下の様なものとなっていた。
【０００３】
すなわち、本体ケースと、この本体ケースの上面側に設けた表示部と、この本体ケースの下面側に設けた読み取り部と、この読み取り部で読み取った画像を拡大して前記表示部に表示させる制御部とを備えた構成となっていた。
【０００４】
そして、この構成において、例えば本の上に本体ケースを載せ、制御部により読み取り部で読み取った画像を拡大し、表示部に表示させるようになっている。
【０００５】
この電子拡大鏡は、老眼鏡や虫眼鏡よりも拡大率が大きく、その分読みやすくなることで高い評価を受けている（たとえば下記特許文献１）。
【特許文献１】特開２００６−２５４２７１号公報
【発明の開示】
【発明が解決しようとする課題】
【０００６】
上記従来例における課題は、利便性が低いということであった。
【０００７】
すなわち、前記従来例においては、スクロールをする際に予め、たとえば文章の始まりの部分に基準点を設け、リターンキーを押せば、必ずこの基準点に戻り、そこから読もうとする行の始点にスクロールし、その後、その行の読み出し方向にスクロールすることで文章を読み出そうとしている。
【０００８】
この場合、２行目を読む場合には、上記のごとく１行目の始点の基準点に戻ればただちに２行目にスクロールし、スムーズな文章読み出しが行える。
【０００９】
しかしながら、このような構成にした場合、たとえば１０行目を読むために９行目の読み終わりで、リターンキーを操作した場合も上述した１行目の始点の基準点に戻ってしまう。
【００１０】
このため、この時には、再び１行目から１０行目の始点まで、延々とスクロールを続け、やっとこの１０行目を読み出すことができるようになる。
【００１１】
つまり、読み出す行が進めば進むほど、その行への移行スクロールに手間取り、このことが、読み出しに対する利便性を低下させているものであった。
【００１２】
そこで本発明は、利便性を高めることを目的とするものである。
【課題を解決するための手段】
【００１３】
そして、この目的を達成するために本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部の両端に読み出し始端設定マーク、および読み出し終端設定マークを表示する構成とし、これにより所期の目的を達成するものである。
【発明の効果】
【００１４】
以上のように本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部の両端に読み出し始端設定マーク、および読み出し終端設定マークを表示する構成としたものであるので、利便性を向上させることができる。
【００１５】
すなわち、本発明においては、制御部が前記表示部の両端に読み出し始端設定マーク、および読み出し終端設定マークを表示する構成としたものであるので、読み出している行の終端設定マークに読み出しが到達した時点で、読み出し始端設定マークに戻せば簡単に次の行へのスクロールが完了し、極めて利便性の高いものとなる。
【発明を実施するための最良の形態】
【００１６】
以下、本発明の一実施形態を添付図面を用いて説明する。
【００１７】
本実施形態の電子拡大鏡は、図１から図３に示すように、長方形体の本体ケース１と、この本体ケース１の上面側に設けた液晶表示部２と、この本体ケース１の下面側に設けた読み取り部３と、この読み取り部３で読み取った画像を拡大して前記液晶表示部２に表示させる制御部４（図４）とを備えている。
【００１８】
本体ケース１の上面側には、図１に示すように電源ランプ５、ズーム用のスイッチ６、カーソル移動用のスイッチ７が設けられている。
【００１９】
また、この図１に示すように、本体ケース１の上辺側には、フォーカスやリターンを行うスイッチ８と、シャッター用のスイッチ９が設けられている。
【００２０】
さらに、この図１に示すように、本体ケース１の右辺側には、メニュー用のスイッチ１０と、電源用のスイッチ１１が設けられている。このうち、メニュー用のスイッチ１０は、各種メニューを次々に液晶表示部２に表示させ、その表示内容の選択は、スイッチ７の右片７ａ、上片７ｂ、左片７ｃ、下片７ｄにより、選択決定されるようになっている。
【００２１】
また、本体ケース１の下面側には、図２に示すごとく前記読み取り部３が設けられ、その外周には、照明用のＬＥＤ１２が４個設けられている。さらに、これらＬＥＤ１２の外方には、スタンド脚１３が設けられている。また、この本体ケース１の下面側の外方４方には、平面脚１４が設けられている。
【００２２】
また、この図２に示すごとく本体ケース１の左辺側には、読み取りの遠近切り換え用のスイッチ１５と、読み取りと再生を切り換えるためのスイッチ１６が設けられている。
【００２３】
さらに、本体ケース１の下辺側には、本体ケース１にストラップ（図示せず）を取り付けるための取り付け部１７と、液晶表示部２のコントラスト調整用のスイッチ１８と、液晶表示部２の表示内容のカラー切り替えを行うためのスイッチ１９が設けられている。
【００２４】
前記制御部４には、図４に示すごとく読み取り部３で読み取った画像データを、画像格納部２０を介して記憶する外部メモリ２１や、前記スイッチ６、７、８、９、１０、１１、１５、１６、１８、１９や、液晶表示部２が接続されており、その内部は、マイコン（ＣＰＵ）２２、画像移動処理部２３、拡大処理部２４、バー表示手段２５、バー傾斜手段２６を有している。
【００２５】
なお、画像格納部２０と外部メモリ２１は、画像記録制御部２７を介して接続されており、画像格納部２０に格納された画像データは、この画像記録制御部２７を介して、外部メモリ２１に記録される構成となっている。
【００２６】
また、前記バー表示手段２５とバー傾斜手段２６は、表示駆動部２８内に設けられ、この表示駆動部２８とマイコン２２間には、表示生成部２９が接続されている。
【００２７】
上記構成において、例えば、新聞記事を読む時の操作について説明する。
【００２８】
まず、この場合、スイッチ１１を長押し（約２秒）し、電源を入れ、電源ランプ５を点灯させる。
【００２９】
つぎに、新聞や本を読むために、スイッチ８を切り換え、接写モードに切り換える。
【００３０】
その後、スイッチ１６により、撮影モードに切り換える。
【００３１】
そして、その状態で、本体ケース１を、液晶表示部２を上にして、新聞紙の読みたい記事の上に置く。
【００３２】
つぎに、スイッチ８を押すことで、読み取り部３を新聞記事に対してピントを合わせる。
【００３３】
この状態で、スイッチ９を押すと、図５のごとく液晶表示部２には、読み取った新聞記事が表示される。またこれと同時に、読み取り部３で読み取った画像データは、画像格納部２０および外部メモリ２１に記録される。
【００３４】
このようにして読み取った新聞記事を読むときは、スイッチ６の大径部６ａを操作することで、最大１０倍以上に拡大され、その状態が図６に示す状態となる。
【００３５】
つまり、スイッチ６を押すことで、図４の画像移動処理部２３により、図５に示すごとく、記事が拡大された状態で切り出され、この状態で使用者は新聞記事を読むことになる。
【００３６】
なお、スイッチ６の小径部６ｂを操作すれば、この切り出しが小さく、つまり、図５における液晶表示部２内に、より多くの文字が表出することになる。
【００３７】
さて、図５、図６は、読みたい新聞記事の上に本体ケース１を適切に置いた状態であるが、使用者がこの新聞記事の上本体ケース１を斜めに置いてしまった場合には、これを読むために上記スイッチ６の大径部６ａを操作すると、図７に示すごとく液晶表示部２内には、新聞記事が斜めに表示される。
【００３８】
この状態で、その新聞記事を読むために、スイッチ７の右片７ａを操作すると、液晶表示部２内の新聞記事は、右側にスクロールされていく。
【００３９】
ところが、この図７からも明らかなように、たとえば、一番上段の行の「ｃｄｅｆｇｈｉｊｋ」までは、読み取れるが、それ以降の「ｌｍｎｏ」などは、液晶表示部２から消失してしまう。
【００４０】
そこで、従来は、この時、使用者は、スイッチ７の上片７ｂを操作することで、液晶表示部２内を上方にスクロールし、消失してしまった「ｌｍｎｏ」を読まなければならず、極めて不便なものであった。
【００４１】
そこで、本実施形態では、図８に示すごとく、このように新聞記事が斜めになってしまった場合には、図１のスイッチ１０を操作することで、図４のバー表示手段２５を駆動させ、図８に示すスクロール方向決定バー３０（この時は、図８において破線で示すもの）を、液晶表示部２内に表示させる。
【００４２】
つぎに、スイッチ７の上片７ｂを操作することで、図４のバー傾斜手段２６を駆動させ、このスクロール方向決定バー３０（この時は、図８において破線で示すもの）を、図８に示す実線のスクロール方向決定バー３０ごとく右側を上方に、左側を下方に傾斜させ、その状態でスイッチ７を押せば、この実線状態のスクロール方向決定バー３０が設定される。
【００４３】
つまり、この斜めになった実線状態のスクロール方向決定バー３０が液晶表示部２内における右方へのスクロール方向に設定されるのである。
【００４４】
さてこの状態で、斜めになった新聞記事を読む場合、まず、スイッチ１０を操作することで、液晶表示部２内から、図８の実線のスクロール方向決定バー３０を消失させ、この状態で、図１のスイッチ７の右片７ａを押せば、図８における上段の「〜ｃｄｅｆｇｈｉｊｋ」を読んでいけば、今、この図８では消えている「ｌｍｎｏ〜」が、今、図８の「〜ｃｄｅｆｇｈｉｊｋ」に登場し、つまり、斜めの記事も連続的に読むことができ、きわめて利便性の高いものとなる。
【００４５】
さて、この「〜ｃｄｅｆｇｈｉｊｋｌｍｎｏ〜」の行を読み取った後は、スイッチ７の左片７ｃを押すことで、図７を左方にスクロールし、つぎに、スイッチ７の下片７ｄを操作することで、下方にスクロールし、これにより次段の「〜ＢＣＤＥＦＧＨＩＪＫＬＭＮＯ〜」を続けて簡単に読むことができる。
【００４６】
以上のごとく、本実施形態においては、液晶表示部２内にスクロール方向決定バー３０を表出させ、しかも、それを傾斜設定することで、液晶表示部２内のスクロール方向を傾斜方向にスクロールさせることであり、そのために、バー表示手段２５、バー傾斜手段２６、スクロールのためのスイッチ７（右片７ａ、上片７ｂ、左片７ｃ、下片７ｄ）を設け、それをマイコン２２で制御する構成としている。
【００４７】
また、本実施形態においては、液晶表示部２において、画面を間欠的にスクロールすることで、視認性を向上させている。
【００４８】
具体的には、図４に示すごとく制御部４内の液晶表示部２への出力部に間欠スクロール手段３１を設け、スイッチ７によるスクロール指令がマイコン２２に入力された場合に、この間欠スクロール手段３１が動作し、これにより液晶表示部２に表示された画面は間欠的（たとえば１／３０秒間隔）にスクロールされ、その結果として液晶表示部２における画面の文字流れなどは発生せず、極めて視認性の高いものとなる。
【００４９】
特に、本電子拡大鏡を使用する弱視者などにとっては、この間欠スクロールによる文字流れの防止は、視認性が高まることで、本や新聞などを落ち着いて読めることにつながることとなる。
【００５０】
さて、本実施形態における最も大きな特徴点は、図９に示すごとく液晶表示部２の両端（この例では、左右端としているが、文章が上下方向に書かれている場合には、上下端となる）に、読み出し始端設定マーク３２と読み出し終端設定マーク３３を設けた事である。
【００５１】
すなわち、本実施形態においては、図６や図７に示すごとく液晶表示部２内の画像を拡大した後に、読み出しの始点側、たとえば図６の液晶表示部２の左側に、図９に示す読み出し始端設定マーク３２を表示させる。
【００５２】
この読み出し始端設定マーク３２の表示は、図６に示すごとく、拡大後の画像の読み出し始点側を液晶表示部２の左端側にスクロールさせた状態で、スイッチ８を２秒間長押しすると、図４の表示生成部２９により、図９に示すごとく、液晶表示部２の左端側に読み出し始端設定マーク３２が表示される。
【００５３】
つぎに、図６の状態から液晶表示部２内の画像を読み出し方向である右方にスクロールし、その読み出し終端に到達した時点で、スイッチ９を２秒間長押しすると、図４の表示生成部２９により、図９に示すごとく、液晶表示部２の右端側に読み出し終端設定マーク３３が表示される。
【００５４】
このように、液晶表示部２の左端側に読み出し始端設定マーク３２を表示させ、液晶表示部２の右端側に読み出し終端設定マーク３３を表示させた状態で、スイッチ７の右片７ｃを操作して、液晶表示部２の画像を左方にスクロールすれば、その左方へのスクロールは、当初読み出し始点として設定した読み出し始端設定マーク３２で停止する。
【００５５】
したがって、使用者は、ここからスイッチ７の右片７ａを操作することで、液晶表示部２の画像を右方にスクロールしながら文章を読んでいく。
【００５６】
この右方へのスクロールが、読み出し終点として設定した上記読み出し終端設定マーク３３に到達すると、この右方へのスクロールは停止し、この時点で使用者は、スイッチ８を押すことで、液晶表示部２内の画像を読み出し始端設定マーク３２までリターンさせることができる。
【００５７】
したがって、使用者は、このリターン後にスイッチ７の下片７ｄを操作することで、下段の文章にスクロールし、その状態でスイッチ７の右片７ａを操作して、液晶表示部２内の画像を右方にスクロールしながら文章を読んでいくことになる。
【００５８】
以降は、同じようにしながら最下段の文章まで読み出していくことになるのであるが、以上の説明で理解されるように、本実施形態においては、読み出している行の読み出し終点に到達すると、読み出し終端設定マーク３３で右方へのスクロールが停止し、この時点でスイッチ８を操作することで、読み出し始端設定マーク３２までリターンさせることができるので、使用者はスイッチ７の下片７ｄを操作することで、簡単に次段へのスクロールが完了し、極めて利便性の高いものとなる。
【００５９】
なお、本実施形態における読み出し始端設定マーク３２および読み出し終端設定マーク３３は、液晶表示部２の両端において、複数（２本）の帯を並設し、帯の長手方向においては、隣接する帯間で色別差を設けている。
【００６０】
具体的には、各帯の長手方向において、断続的に白黒の色別差を設け、隣接する帯間でもこの白黒の色別差を設けているのである。
【００６１】
これは、ちょうど、市松模様とかチェッカーフラグの状態となっており、このことが液晶表示部２内の画像と、これら読み出し始端設定マーク３２および読み出し終端設定マーク３３との差異を明確にすることに大いに役立っている。
【００６２】
また、本実施形態においては、スイッチ１９により、液晶表示部２に表示された識別情報と背景情報の色を、それぞれ変更する色変更手段（図示せず）を設けているので、この色変更手段の動作時には、読み出し始端設定マーク３２および読み出し終端設定マーク３３の色も変更することができる。
【００６３】
なお、マイコン２２には、図示していないが、プログラムを格納したＲＯＭが設けられており、以上の動作は、このＲＯＭ内に格納されたプログラムにより実行される。
【産業上の利用可能性】
【００６４】
以上のように本発明は、本体ケースと、この本体ケースの上面側に設けた表示部と、この本体ケースの下面側に設けた読み取り部と、この読み取り部で読み取った画像を拡大して前記表示部に表示させる制御部とを備え、前記制御部は、前記表示部の両端に読み出し始端設定マーク、および読み出し終端設定マークを表示する構成としたものであるので、利便性を向上させることができる。
【００６５】
すなわち、本発明においては、制御部が前記表示部の両端に読み出し始端設定マーク、および読み出し終端設定マークを表示する構成としたものであるので、読み出している行の終端設定マークに読み出しが到達した時点で、読み出し始端設定マークに戻せば簡単に次の行へのスクロールが完了し、極めて利便性の高いものとなる。
【００６６】
したがって、電子拡大鏡として、広く活用が期待されるものである。
【図面の簡単な説明】
【００６７】
【図１】本発明の一実施形態を示す上面側からの斜視図
【図２】本発明の一実施形態を示す下面側からの斜視図
【図３】本発明の一実施形態を示す下方側からの斜視図
【図４】本発明の一実施形態を示す制御部のブロック図
【図５】本発明の一実施形態を示す液晶表示部の上面図
【図６】本発明の一実施形態を示す液晶表示部の上面図
【図７】本発明の一実施形態を示す液晶表示部の上面図
【図８】本発明の一実施形態を示す液晶表示部の上面図
【図９】本発明の一実施形態を示す液晶表示部の上面図
【符号の説明】
【００６８】
１  本体ケース
２  液晶表示部
３  読み取り部
４  制御部
５  電源ランプ
６  スイッチ
６ａ  スイッチ６の大径部
６ｂ  スイッチ６の小径部
７  カーソルボタン
７ａ  スイッチ７の右片
７ｂ  スイッチ７の上片
７ｃ  スイッチ７の左片
７ｄ  スイッチ７の下片
８  スイッチ
９  スイッチ
１０  スイッチ
１１  スイッチ
１２  ＬＥＤ
１３  スタンド脚
１４  平面脚
１５  スイッチ
１６  スイッチ
１７  取り付け部
１８  スイッチ
１９  スイッチ
２０  画像格納部
２１  外部メモリ
２２  マイコン（ＣＰＵ）
２３  画像移動処理部
２４  拡大処理部
２５  バー表示手段
２６  バー傾斜手段
２７  画像記録制御部
２８  表示駆動部
２９  表示生成部
３０  スクロール方向決定バー
３１  間欠スクロール手段
３２  読み出し始端設定マーク
３３  読み出し終端設定マーク
【図１】
2010161683.tif 000003
【図２】
2010161683.tif 000004
【図３】
2010161683.tif 000005
【図４】
2010161683.tif 000006
【図５】
2010161683.tif 000007
【図６】
2010161683.tif 000008
【図７】
2010161683.tif 000009
【図８】
2010161683.tif 000010
【図９】
2010161683.tif 000011